【手続補正書】
【提出日】平成17年10月31日(2005.10.31)
【手続補正１】
【補正対象書類名】明細書
【補正対象項目名】特許請求の範囲
【補正方法】変更
【補正の内容】
【特許請求の範囲】
【請求項１】  予め設定される提供時間枠に区切られる提供予定に従って提供する提供元からのコンテンツを取得する取得手段と、
取得したコンテンツを記録する記録手段と、
前記提供予定を表す提供予定情報に基づいて、コンテンツの記録を予約する記録予約に従って、前記予約されるコンテンツを記録するように前記記録手段を制御する制御手段と、
前記記録手段の全記録容量と、コンテンツが既に記録されている記録済容量と、予約されているコンテンツを記録するために必要とされる予約記録容量を取得し、前記全記録容量から前記記録済容量および前記予約記録容量を減算して残り記録容量を算出する算出手段と、
前記全記録容量に対する前記残り記録容量を含む記録状態を図表示するための表示データを生成するデータ生成手段とを備えることを特徴とする記録装置。
【請求項２】  前記データ生成手段は、前記記録済容量および前記予約記録容量をさらに含む記録状態を図表示するための表示データを生成することを特徴とする請求項１記載の記録装置。
【請求項３】  前記提供予定情報は、各提供時間枠で提供されるコンテンツに関連するキーワードを含むインデックスをさらに有し、
記録予約は、
利用者がコンテンツを指定して予約する手動予約と、
特定の提供時間枠または、予め設定されるキーワードを含むインデックスまたは、利用者の嗜好のいずれかに対応するコンテンツを自動的に予約する自動予約とを含み、
前記データ生成手段は、前記予約記録容量を、前記手動予約と、前記自動予約とを分類して記録状態を図表示するための表示データを生成することを特徴とする請求項１または２記載の記録装置。
【請求項４】前記データ生成手段は、予め定める一定期間先までの記録予約に基づいて、記録状態を図表示するための表示データを生成することを特徴とする請求項１〜３のいずれか１つに記載の記録装置。
【請求項５】  前記データ生成手段は、さらに記録可能容量を文字で表示するための表示データを生成することを特徴とする請求項１〜４のいずれか１つに記載の記録装置。
【請求項６】  前記制御手段は、前記記録手段に記録されてから予め定める自動削除時間放置されたコンテンツを自動削除するように前記記録手段を制御し、
前記データ生成手段は、記録済容量に関して、記録されてから視聴されたコンテンツの記録容量と、記録されてから放置されているコンテンツの記録容量とを分類して図表示するための表示データを生成することを特徴とする請求項１記載の記録装置。
【請求項７】  前記データ生成手段は、記録状態を図表示するときに表示データを生成することを特徴とする請求項１記載の記録装置。
【請求項８】  前記データ生成手段は、記録状態が変化するときに表示データを生成することを特徴とする請求項１または２記載の記録装置。
【請求項９】  予め設定される提供時間枠に区切られる提供予定に従って提供元から提供され、経時的に変化するコンテンツを、前記提供予定を表す提供予定情報およびコンテンツの記録を予約する記録予約に基づいて取得し、記録手段に記録するにあたって、
記録手段の全記録容量と、コンテンツが既に記録されている記録済容量と、予約されているコンテンツを記録するために必要とされる予約記録容量を取得して、前記全記録容量から前記記録済容量および前記予約記録容量を減算して残り記録容量を算出し、前記全記録容量に対する前記残り記録容量を含む記録状態を図表示するための表示データを生成するデータ生成工程を備えることを特徴とする記録方法。
【請求項１０】  請求項９記載の記録方法を、コンピュータに実行させるためのプログラム。
【手続補正２】
【補正対象書類名】明細書
【補正対象項目名】００１１
【補正方法】変更
【補正の内容】
【００１１】
【課題を解決するための手段】
本発明は、予め設定される提供時間枠に区切られる提供予定に従って提供する提供元からのコンテンツを取得する取得手段と、
取得したコンテンツを記録する記録手段と、
前記提供予定を表す提供予定情報に基づいて、コンテンツの記録を予約する記録予約に従って、前記予約されるコンテンツを記録するように前記記録手段を制御する制御手段と、
前記記録手段の全記録容量と、コンテンツが既に記録されている記録済容量と、予約されているコンテンツを記録するために必要とされる予約記録容量を取得し、前記全記録容量から前記記録済容量および前記予約記録容量を減算して残り記録容量を算出する算出手段と、
前記全記録容量に対する前記残り記録容量を含む記録状態を図表示するための表示データを生成するデータ生成手段とを備えることを特徴とする記録装置である。
また本発明は、前記データ生成手段は、前記記録済容量および前記予約記録容量をさらに含む記録状態を図表示するための表示データを生成することを特徴とする。
【手続補正３】
【補正対象書類名】明細書
【補正対象項目名】００１２
【補正方法】変更
【補正の内容】
【００１２】
本発明に従えば、算出手段によって、記録手段の全記録容量と、コンテンツが既に記録されている記録済容量と、予約されているコンテンツを記録するために必要とされる予約記録容量を取得し、全記録容量から記録済容量および予約記録容量を減算して残り記録容量を算出する。データ生成手段は、全記録容量に対する残り記録容量を含む記録状態を図表示するための表示データを生成する。また、データ生成手段は、記録済容量および予約記録容量をさらに含む記録状態を図表示するための表示データを生成する。表示装置を記録装置に接続して、生成された表示データを表示装置に与えることによって、全記憶容量に対する残り記憶容量を含む記録状態、または全記録時間、記録済時間、予約記録時間および記録可能時間を含む記録状態を図表示して、利用者に記録状態を報知することができる。また時間で表すことによって、記録手段の記録容量で表示する場合に比べて、利用者は容易に確認することができる。
【手続補正４】
【補正対象書類名】明細書
【補正対象項目名】００１３
【補正方法】変更
【補正の内容】
【００１３】
記録手段の全記録時間から、コンテンツが既に記録されている記録済時間を減算した時間を表示するような従来技術では、利用者が、さらにコンテンツの記録の予約をしようとする場合に、既に予約されているコンテンツが記録されたときに、後どのくらいの容量を記録可能なのかを確認することができない。本発明では、全記録容量から記録済容量および予約記録容量を減算した残り記録容量が表示されるので、利用者は、表示される記録状態を見ることで、記録可能容量、すなわち従来技術では確認できなかった既に予約されているコンテンツが記録されたときに記録することができる容量を確認することができる。したがって利用者は、記録可能容量を確認することで、さらに予約しようとするコンテンツが記録可能であるか否かを判断することができるので、記録できない容量のコンテンツを誤って予約して、当該コンテンツが最後まで記録されないということを防止して、円滑に予約することができる。
【手続補正５】
【補正対象書類名】明細書
【補正対象項目名】００１４
【補正方法】変更
【補正の内容】
【００１４】
また図表示される記録状態は、全記録容量、記録済容量、予約記録容量、記録可能容量を含むので、利用者は、記録手段の全記録容量における、記録済容量、予約記録容量、記録可能容量の割合を容易に確認することができる。これによって、たとえば利用者が、さらにコンテンツの記録を予約するときに、当該コンテンツを記録できるだけの記録可能容量が無い場合、利用者は、記録済容量および予約記録容量を確認して、既に記録されているコンテンツを削除したり、予約を取消したりして、記録可能容量を増やして、さらに予約しようとするコンテンツを確実に予約することができる。このように利用者の予約における自由度を高くして、利用者の意思に応じた予約を実現することができる。
【手続補正６】
【補正対象書類名】明細書
【補正対象項目名】００１５
【補正方法】変更
【補正の内容】
【００１５】
また本発明は、前記提供予定情報は、各提供時間枠で提供されるコンテンツに関連するキーワードを含むインデックスをさらに有し、
記録予約は、
利用者がコンテンツを指定して予約する手動予約と、
特定の提供時間枠または、予め設定されるキーワードを含むインデックスまたは、利用者の嗜好のいずれかに対応するコンテンツを自動的に予約する自動予約とを含み、
前記データ生成手段は、前記予約記録容量を、前記手動予約と、前記自動予約とを分類して記録状態を図表示するための表示データを生成することを特徴とする。
【手続補正７】
【補正対象書類名】明細書
【補正対象項目名】００１６
【補正方法】変更
【補正の内容】
【００１６】
本発明に従えば、データ生成手段によって、予約記録時間を、手動予約と、自動予約とを分類して記録状態を図表示するための表示データが生成される。このように記録状態において、予約記録時間は、手動予約と、自動予約とに分類されるので、利用者は、予約記録時間における、各予約の割合を容易に確認することができる。これによって、たとえば利用者が、さらにコンテンツの記録を予約するときに、当該コンテンツを記録できるだけの記録可能容量が無い場合、利用者は、予約記録容量における各予約の割合を確認して、取消したい予約を判断し、その予約を取消して、記録可能容量を増やして、さらに予約しようとするコンテンツを確実に予約することができる。このように利用者の予約における自由度をさらに高くして、利用者の意思に応じた予約を実現することができる。
【手続補正８】
【補正対象書類名】明細書
【補正対象項目名】００１７
【補正方法】変更
【補正の内容】
【００１７】
また本発明は、前記データ生成手段は、予め定める一定期間先までの記録予約に基づいて、記録状態を図表示するための表示データを生成することを特徴とする。
【手続補正９】
【補正対象書類名】明細書
【補正対象項目名】００１８
【補正方法】変更
【補正の内容】
【００１８】
本発明に従えば、データ生成手段によって、予め定める一定期間先までの記録予約に基づいて、記録状態を図表示するための表示データが生成される。たとえば特定の提供時間枠を繰返して予約する繰返し予約が記録予約に含まれる場合、前記繰返し予約される全てのコンテンツの記録容量が総和されて、予約記録容量が非常に多くなって、記録可能容量が不足する場合があり得る。したがって、記録状態を、予め定める一定期間先までの記録予約に基づくことで、繰返し予約によって予約記録容量が不足することを防止することができる。
【手続補正１０】
【補正対象書類名】明細書
【補正対象項目名】００１９
【補正方法】変更
【補正の内容】
【００１９】
また本発明は、前記データ生成手段は、さらに記録可能容量を文字で表示するための表示データを生成することを特徴とする。
【手続補正１１】
【補正対象書類名】明細書
【補正対象項目名】００２０
【補正方法】変更
【補正の内容】
【００２０】
本発明に従えば、データ生成手段によって、記録可能容量を文字で表示するための表示データが生成されるので、利用者は、詳細な記録可能容量を確認することができる。
【手続補正１２】
【補正対象書類名】明細書
【補正対象項目名】００２１
【補正方法】変更
【補正の内容】
【００２１】
また本発明は、前記制御手段は、前記記録手段に記録されてから予め定める自動削除時間放置されたコンテンツを自動削除するように前記記録手段を制御し、
前記データ生成手段は、記録済容量に関して、記録されてから視聴されたコンテンツの記録容量と、記録されてから放置されているコンテンツの記録容量とを分類して図表示するための表示データを生成することを特徴とする。
【手続補正１３】
【補正対象書類名】明細書
【補正対象項目名】００２３
【補正方法】変更
【補正の内容】
【００２３】
またデータ生成手段によって、記録済容量に関して、記録されてから視聴されたコンテンツの記録容量と、記録されてから放置されているコンテンツの記録容量とを分類して図表示するための表示データが生成される。これによって利用者は、自動削除時間後に提供されるコンテンツを予約したい場合、記録可能容量だけでなく自動削除予定時間をも確認して、当該コンテンツが記録可能であるか否かを判断することができるので、記録できない容量のコンテンツを誤って予約して、当該コンテンツが最後まで記録されないということを防止して、円滑に予約することができる。
【手続補正１４】
【補正対象書類名】明細書
【補正対象項目名】００２４
【補正方法】変更
【補正の内容】
【００２４】
また本発明は、前記データ生成手段は、記録状態を図表示するときに表示データを生成することを特徴とする。
【手続補正１５】
【補正対象書類名】明細書
【補正対象項目名】００２６
【補正方法】変更
【補正の内容】
【００２６】
また本発明は、前記データ生成手段は、記録状態が変化するときに表示データを生成することを特徴とする。
【手続補正１６】
【補正対象書類名】明細書
【補正対象項目名】００２８
【補正方法】変更
【補正の内容】
【００２８】
また本発明は、予め設定される提供時間枠に区切られる提供予定に従って提供元から提供され、経時的に変化するコンテンツを、前記提供予定を表す提供予定情報およびコンテンツの記録を予約する記録予約に基づいて取得し、記録手段に記録するにあたって、
記録手段の全記録容量と、コンテンツが既に記録されている記録済容量と、予約されているコンテンツを記録するために必要とされる予約記録容量を取得して、前記全記録容量から前記記録済容量および前記予約記録容量を減算して残り記録容量を算出し、前記全記録容量に対する前記残り記録容量を含む記録状態を図表示するための表示データを生成するデータ生成工程を備えることを特徴とする記録方法である。
【手続補正１７】
【補正対象書類名】明細書
【補正対象項目名】００２９
【補正方法】変更
【補正の内容】
【００２９】
本発明に従えば、データ生成工程で、記録手段の全記録容量と、コンテンツが既に記録されている記録済容量と、予約されているコンテンツを記録するために必要とされる予約記録容量を取得し、全記録容量から記録済容量および予約記録容量を減算して残り記録容量を算出し、全記録容量に対する残り記録容量を含む記録状態を図表示するための表示データを生成する。表示装置を記録装置に接続して、生成された表示データを表示装置に与えることによって、全記憶容量に対する残り記憶容量を含む記録状態を図表示して、利用者に記録状態を報知することができる。また時間で表すことによって、記録手段の記録容量で表示する場合に比べて、利用者は容易に確認することができる。
【手続補正１８】
【補正対象書類名】明細書
【補正対象項目名】００３０
【補正方法】変更
【補正の内容】
【００３０】
記録手段の全記録時間から、コンテンツが既に記録されている記録済時間を減算した時間を表示するような従来技術では、利用者が、さらにコンテンツの記録の予約をしようとする場合に、既に予約されているコンテンツが記録されたときに、後どのくらいの容量を記録可能なのかを確認することができない。本発明では、全記録容量から記録済容量および予約記録容量を減算した残り記録容量が表示されるので、利用者は、表示される記録状態を見ることで、記録可能容量、すなわち従来技術では確認できなかった既に予約されているコンテンツが記録されたときに記録することができる容量を確認することができる。したがって利用者は、記録可能容量を確認することで、さらに予約しようとするコンテンツが記録可能であるか否かを判断することができるので、記録できない容量のコンテンツを誤って予約して、当該コンテンツが最後まで記録されないということを防止して、円滑に予約することができる。
【手続補正１９】
【補正対象書類名】明細書
【補正対象項目名】００３１
【補正方法】変更
【補正の内容】
【００３１】
また図表示される記録状態は、全記録容量、記録可能容量を含むので、利用者は、記録手段の全記録容量における、記録可能容量の割合を容易に確認することができる。これによって、たとえば利用者が、さらにコンテンツの記録を予約するときに、当該コンテンツを記録できるだけの記録可能容量が無い場合、利用者は、既に記録されているコンテンツを削除したり、予約を取消したりして、記録可能容量を増やして、さらに予約しようとするコンテンツを確実に予約することができる。このように利用者の予約における自由度を高くして、利用者の意思に応じた予約を実現することができる。
【手続補正２０】
【補正対象書類名】明細書
【補正対象項目名】０１６７
【補正方法】変更
【補正の内容】
【０１６７】
【発明の効果】
以上のように本発明によれば、表示装置を記録装置に接続して、生成された表示データを表示装置に与えることによって、全記録容量、記録済容量、予約記録容量および記録可能容量を含む記録状態を図表示して、利用者に記録状態を報知することができる。また利用者は、表示される記録状態を見ることで、記録可能容量、すなわち従来技術では確認できなかった既に予約されているコンテンツが記録されたときに記録することができる容量を確認することができる。したがって利用者は、記録可能容量を確認することで、さらに予約しようとするコンテンツが記録可能であるか否かを判断することができるので、記録できない容量のコンテンツを誤って予約して、当該コンテンツが最後まで記録されないということを防止して、円滑に予約することができる。また利用者は、記録手段の全記録容量における、記録済容量、予約記録容量および記録可能容量の割合を容易に確認することができる。これによって、たとえば利用者が、さらにコンテンツの記録を予約するときに、当該コンテンツを記録できるだけの記録可能容量が無い場合、利用者は、記録済容量および予約記録容量を確認して、既に記録されているコンテンツを削除したり、予約を取消したりして、記録可能容量を増やして、さらに予約しようとするコンテンツを確実に予約することができる。このように利用者の予約における自由度を高くして、利用者の意思に応じた予約を実現することができる。
【手続補正２１】
【補正対象書類名】明細書
【補正対象項目名】０１６８
【補正方法】変更
【補正の内容】
【０１６８】
また本発明によれば、記録状態において、記録予約は、手動予約と、自動予約とに分類されるので、利用者は、予約記録容量における、各予約の割合を容易に確認することができる。これによって、たとえば利用者が、さらにコンテンツの記録を予約するときに、当該コンテンツを記録できるだけの記録可能容量が無い場合、利用者は、予約記録容量における各予約の割合を確認して、取消したい予約を判断し、その予約を取消して、記録可能容量を増やして、さらに予約しようとするコンテンツを確実に予約することができる。このように利用者の予約における自由度をさらに高くして、利用者の意思に応じた予約を実現することができる。
【手続補正２２】
【補正対象書類名】明細書
【補正対象項目名】０１６９
【補正方法】変更
【補正の内容】
【０１６９】
また本発明によれば、記録状態を、予め定める一定期間先までの記録予約に基づくことで、繰返し予約によって予約記録容量が不足することを防止することができる。
【手続補正２３】
【補正対象書類名】明細書
【補正対象項目名】０１７０
【補正方法】変更
【補正の内容】
【０１７０】
また本発明によれば、利用者は、文字により詳細な記録可能容量を確認することができる。
【手続補正２４】
【補正対象書類名】明細書
【補正対象項目名】０１７１
【補正方法】変更
【補正の内容】
【０１７１】
また本発明によれば、利用者が視聴しないで放置している記録手段に記録されているコンテンツが増加して、このようなコンテンツによって記録手段の残り記録容量がなくなってしまうことを防止することができる。また利用者は、自動削除時間後に提供されるコンテンツを予約したい場合、記録可能容量だけでなく自動削除予定時間をも確認して、当該コンテンツが記録可能であるか否かを判断することができるので、記録できない容量のコンテンツを誤って予約して、当該コンテンツが最後まで記録されないということを防止して、円滑に予約することができる。
【手続補正２５】
【補正対象書類名】明細書
【補正対象項目名】０１７４
【補正方法】変更
【補正の内容】
【０１７４】
また本発明によれば、生成された表示データを表示装置に与えることによって、全記録容量、記録可能容量を含む記録状態を図表示して、利用者に記録状態を報知することができる。また利用者は、表示される記録状態を見ることで、記録可能容量、すなわち従来技術では確認できなかった既に予約されているコンテンツが記録されたときに記録することができる容量を確認することができる。したがって利用者は、記録可能容量を確認することで、さらに予約しようとするコンテンツが記録可能であるか否かを判断することができるので、記録できない容量のコンテンツを誤って予約して、当該コンテンツが最後まで記録されないということを防止して、円滑に予約することができる。また利用者は、記録手段の全記録容量における、記録可能容量の割合を容易に確認することができる。これによって、たとえば利用者が、さらにコンテンツの記録を予約するときに、当該コンテンツを記録できるだけの記録可能容量が無い場合、利用者は、既に記録されているコンテンツを削除したり、予約を取消したりして、記録可能容量を増やして、さらに予約しようとするコンテンツを確実に予約することができる。このように利用者の予約における自由度を高くして、利用者の意思に応じた予約を実現することができる。